(57)【特許請求の範囲】
【請求項１】
丸型のランプの背面部に取付ブラケットを備えて、固定部に形成された円筒状の凹部に前記ランプが挿入され、前記取付ブラケットの取付部が前記凹部の内部の取付部に位置されて、前記凹部に前記ランプが取り付けられたランプの取付構造において、
前記凹部の内部の係止部に接当して前記凹部の円周方向での位置を決める位置決め部を、前記取付ブラケットの外周部から半径方向の外側に突出させて備えて、
前記取付ブラケットの外周部及び前記凹部の内部のうちの一方に、前記凹部への前記ランプの挿入方向に沿った案内部を備え、前記取付ブラケットの外周部及び前記凹部の内部のうちの他方に、前記案内部に接当して案内される被案内部を備えて、
前記位置決め部が前記係止部に接当した状態で、前記ランプが前記凹部に挿入されるのに伴って、前記案内部及び被案内部により前記取付ブラケットの取付部が前記凹部の内部の取付部に案内されると共に、
前記取付ブラケットに対する前記ランプの角度を変更自在に、前記位置決め部の近傍に位置する前記取付ブラケットの支点部周りに、前記ランプを揺動自在に支持して、
前記取付ブラケットに対する前記ランプの角度を設定する角度設定部を、前記支点部に対して前記ランプの中心を間に挟んだ反対側の前記取付ブラケットの部分に備えてあるランプの取付構造。
【発明の詳細な説明】
【０００１】
【発明の属する技術分野】
本発明は乗用車やトラック等の商用車、建設機械等の産業用の車両において、ランプの取付構造に関する。
【０００２】
【従来の技術】
例えば乗用車では、丸型のランプを備えたものがある。この場合、フロントバンパーやリヤバンパー、ボディ等の固定部に円筒状の凹部を形成して、丸型のランプを凹部に挿入し、凹部の円周方向での所定位置（凹部の内部の取付部の位置）に、ランプに備えられた取付部を位置させる。次にランプの取付部を凹部の内部の取付部に、連結部材（例えばボルトやナット等）によって連結して、凹部にランプを取り付けるように構成されたものがある。
【０００３】
【発明が解決しようとする課題】
従来の技術に記載のように、丸型のランプを円筒状の凹部に挿入すると、凹部の内部でランプが回転してしまうことがある。
これにより、ランプを凹部に挿入して、ランプの取付部を凹部の内部の取付部に位置させる際、ランプの取付部が凹部の内部に位置しているので、凹部の内部の取付部にランプの取付部が位置しているか否かを、作業者が目視することは困難な状態になっている。従って、作業者が凹部に挿入したランプを手で回転させながら、ランプの取付部を凹部の内部の取付部に持っていき、連結部材で連結すると言う作業を行わなければならない。
この場合に、車種によって固定部の表面とランプの表面（レンズ）とが略同じ位置（高さ）に設定されていたり、凹部の内部にランプが略完全に入り込むように設定されていると、前述のように作業者が凹部に挿入したランプを手で回転させると言う操作自体が困難なものとなる。
【０００４】
前述の凹部の内部の取付部おいて、連結部材の連結可能な範囲を大きめに設定し（例えばボルトの取付孔を少し大きめに設定）、凹部の内部の取付部からランプの取付部が少し外れていても、ランプの取付部を凹部の内部の取付部に連結することができるように構成することも考えられる。しかしながら、このように構成すると、凹部の中心からランプの中心が少し外れて、凹部に対しランプの取付位置がバラ付くことになる。
本発明は固定部に形成された円筒状の凹部に丸型のランプが挿入され、ランプの取付部が凹部の内部の取付部に連結されたランプの取付構造において、凹部にランプを挿入した際のランプの位置決めが容易に行えるようにすることを目的としている。
【０００５】
【課題を解決するための手段】
［Ｉ］
丸型のランプの背面部に取付ブラケットを備えて、固定部に形成された円筒状の凹部に丸型のランプが挿入され、取付ブラケットの取付部が凹部の内部の取付部に連結されて、凹部にランプが取り付けられた場合に、請求項１の特徴によると、取付ブラケットの外周部から半径方向の外側に位置決め部が突出している。
【０００６】
これにより請求項１の特徴によると、作業者がランプを持って凹部に挿入する際、位置決め部がランプの外周部に位置する部分（取付ブラケットの外周部）から半径方向の外側に突出しているので、作業者からランプ（取付ブラケット）の位置決め部が目視し易い。このように作業者がランプ（取付ブラケット）の位置決め部を容易に目視することができれば、作業者がランプの位相を容易に認識し、ランプを凹部に対して適切な位相に設定しながら凹部にランプを挿入して、ランプ（取付ブラケット）の位置決め部を凹部の内部の係止部に接当させることができる。
このように、ランプ（取付ブラケット）の位置決め部を凹部の内部の係止部に接当させることによって、凹部の円周方向でのランプの位相が決まる。
【０００７】
［ＩＩ］
請求項１の特徴によると、ランプの外周部に位置する部分（取付ブラケットの外周部）及び凹部の内部のうちの一方に、凹部へのランプの挿入方向に沿った案内部が備えられ、ランプの外周部に位置する部分（取付ブラケットの外周部）及び凹部の内部のうちの他方に、案内部に接当して案内される被案内部が備えられている。
【０００８】
これにより、請求項１の特徴によると、前項［Ｉ］に記載のように、ランプ（取付ブラケット）の位置決め部を凹部の内部の係止部に接当させて、凹部の円周方向でのランプの位相を決めた状態で、凹部にランプを挿入していくと、案内部及び被案内部によりランプ（取付ブラケット）の取付部が凹部の内部の取付部に案内されるので、この後にランプ（取付ブラケット）の取付部を凹部の内部の取付部に連結して、凹部にランプを取り付ければよい。
【０００９】
［ＩＩＩ］
前項［Ｉ］［ＩＩ］の記載において、ランプ（取付ブラケット）に位置決め部を備えずに、案内部及び被案内部のみで、ランプ（取付ブラケット）の取付部を凹部の内部の取付部に案内するように構成すると、凹部の円周方向でのランプの位相が決められていない状態で、案内部及び被案内部によりランプ（取付ブラケット）の取付部が凹部の内部の取付部に案内されることになるので、この案内が確実に行われないことが考えられる。又、案内部及び被案内部のみで、ランプ（取付ブラケット）の取付部を凹部の内部の取付部に案内するように構成するとなれば、案内部及び被案内部の構成が大掛かりなものになることが考えられる。
【００１０】
請求項１の特徴によると、ランプ（取付ブラケット）の位置決め部及び凹部の内部の係止部により、凹部の円周方向でのランプの位相が決められた状態で、案内部及び被案内部によりランプ（取付ブラケット）の取付部が凹部の内部の取付部に案内されるので、案内部及び被案内部によりランプ（取付ブラケット）の取付部が凹部の内部の取付部に確実に案内されるのであり、案内部及び被案内部を大掛かりなものに構成する必要がない。
【００１１】
［ＩＶ］
ランプの背面部に取付ブラケットを備えた場合、取付ブラケットに対しランプの角度を変更できるようにして、ランプの光軸調節が行えるように構成されたものがある。
請求項１の特徴によると、前述のようにランプの光軸調節が行えるように構成する場合に、位置決め部の近傍に位置する取付ブラケットの支点部周りに、ランプを揺動自在に支持し、取付ブラケットに対するランプの角度を設定する角度設定部を、支点部に対してランプの中心を間に挟んだ反対側の取付ブラケットの部分に備えて、取付ブラケットに対するランプの角度を変更自在に構成している。
【００１２】
取付ブラケットの位置決め部が取付ブラケットの外周部に位置しており、取付ブラケットの支点部も取付ブラケットの外周部の近傍に位置している点、並びに支点部に対してランプの中心を間に挟んだ反対側の取付ブラケットの部分に角度設定部が備えられて、取付ブラケットの支点部から角度設定部が充分に離れている点により、取付ブラケットの支点部及び角度設定部により、ランプが取付ブラケットに安定して支持される状態となる。
【００１３】
【発明の実施の形態】
図１及び図２に、乗用車のフロントグリル１の凹部８に取り付けられる丸型のランプ２が示されており、ランプハウジング３、レンズ４、バルブ５及びバルブ５の後部を覆う蓋体６等を備えて構成されており、蓋体６の横部からバルブ５のハーネス７が延出されている。このように構成されたランプ２の背面部に、取付ブラケット１１が取り付けられている。
【００１４】
次に、ランプハウジング３について説明する。
図１及び図２に示すように、ランプハウジング３は樹脂で形成されており、凹部８に取り付けられた状態（図６参照）でのランプハウジング３の外周部の上部に、右側及び左側の支持脚部３ａがランプハウジング３に一体的に形成され、凹部８に取り付けられた状態（図４参照）でのランプハウジング３の外周部の下部に、ボス部３ｂがランプハウジング３に一体的に形成されて、ボス部３ｂに雌ネジ部材９が取り付けられている。図２及び図７に示すように、ランプハウジング３における蓋体６の横側部分に、空気抜き部３ｃがランプハウジング３に一体的に形成されており、空気抜き部３ｃにフィルタ１６が取り付けられ、ゴム部材１０によってフィルタ１６が固定されている。
【００１５】
次に、取付ブラケット１１について説明する。
図１及び図２に示すように、取付ブラケット１は金属製で丸いリング状に構成され（図２参照）、側面視でクランク状に折り曲げられており（図１参照）、４個のスタッドボルト１２が取り付けられている。取付ブラケット１１の外周部の右側部分及び左側部分に、凸部状で取付ブラケット１１の半径方向の外側に突出する位置決め部１１ａが備えられ、右側及び左側の位置決め部１１ａに対し取付ブラケット１１（ランプ２）の中心を間に挟んだ反対側において、取付ブラケット１１の外周部に凹部１１ｂが備えられている。
【００１６】
図１，２，６に示すように、取付ブラケット１１の外周部において右側及び左側の位置決め部１１ａの近傍部分に、樹脂製の支点部１３が取り付けられて、ランプハウジング３の支持脚部３ａが支点部１３に揺動自在に嵌め込まれており、２個の支点部１３を通る軸芯周りに、ランプ２が取付ブラケット１１に対して揺動自在に支持されている。図１，２，４に示すように、取付ブラケット１１の外周部において凹部１１ｂの近傍部分に、樹脂製の支点部１４が取り付けられて、支点部１４に調節ボルト１５が回転自在に支持されており、調節ボルト１５がランプハウジング３の雌ネジ部材９に挿入されている。
【００１７】
以上のように、右側及び左側の支持脚部３ａ、１個の調節ボルト１５により、ランプ２の背面部に取付ブラケット１１が取り付けられている。この状態において図２に示すように、正面視でランプ２（ランプハウジング３及びレンズ４）の外周部に、取付ブラケット１１の外周部が略一致するか、又は取付ブラケット１１の外周部が半径方向の中心側に少し入った状態となっている。取付ブラケット１１の位置決め部１１ａは正面視で、ランプ２（ランプハウジング３及びレンズ４）の外周部から半径方向の外側に突出している。
【００１８】
後述するように、調節ボルト１５に固定されたノブ１５ａにより調節ボルト１５を回転操作することによって、ボス部３ｂの位置を取付ブラケット１１に対して図４の紙面左右方向に移動させ、２個の支点部１３を通る軸芯周りに、ランプ２を取付ブラケット１１に対して揺動操作することにより、取付ブラケット１１に対するランプ２の角度を変更することができる（光軸調節）。
【００１９】
次にランプ２が取り付られるフロントグリル１の凹部８について説明する。
図１及び図３に示すように、底部１７及び周壁部１８を備えた円筒状の凹部８が、フロントグリル１に一体的に形成されている。図１，３，６に示すように、周壁部１８の上部において底部１７に隣接する右側部分及び左側部分に、開口部１８ａが形成され、右側及び左側の開口部１８ａにつながるように、開口部１７ａが底部１７に形成されている。
【００２０】
図１及び図３に示すように、周壁部１８の下部において周壁部１８の中程部分から底部１７に亘り、図１の紙面左右方向に延びるクサビ状の案内部１８ｂが形成されており、周壁部１８における案内部１８ｂの両側部分に、水抜き孔１８ｃが形成されている。周壁部１８における案内部１８ｂの一方の横側部分に、後述する工具１９の挿入用の開口部１８ｄが形成されている。周壁部１８における右側及び左側の開口部１８ａの下側に、周壁部１８の中程部分から底部１７に亘って、図１の紙面左右方向に延びるクサビ状の案内部１８ｅが形成されている。スタッドボルト１２が挿入される４個の連結孔１７ｂ、支点部１４が挿入される開口部１７ｃ、及びハーネス７を通す為の開口部１７ｄが、底部１７に形成されている。
【００２１】
次に、取付ブラケット１１を備えたランプ２を凹部８に取り付ける状態について説明する。
図１及び図２に示すように、作業者は取付ブラケット１１を凹部８に向けた状態でランプ２を持ち、取付ブラケット１１の位置決め部１１ａを目視しながら、ランプ２の姿勢を取付ブラケット１１の位置決め部１１ａが上側に位置する姿勢にする。ランプ２を凹部８に挿入する際に先ず取付ブラケット１１を凹部８に挿入し、図１及び図５に示すように取付ブラケット１１の位置決め部１１ａを周壁部１８の開口部１８ａに挿入する。これにより、凹部８の円周方向でのランプ２の位相が決まる。
【００２２】
このように、取付ブラケット１１の位置決め部１１ａを周壁部１８の開口部１８ａに挿入した状態で、ランプ２を凹部８に挿入していくと、図１，４，５に示すように、取付ブラケット１１の凹部１１ｂに周壁部１８の案内部１８ｂが入り込み、取付ブラケット１１の外周部に周壁部１８の案内部１８ｅが接当する。
【００２３】
これにより、取付ブラケット１１の位置決め部１１ａ及び周壁部１８の開口部１８ａによって、凹部８の円周方向でのランプ２の位相が決められた状態で、周壁部１８の案内部１８ｂ，１８ｅの案内作用により、ランプ２の凹部８への挿入に伴ってランプ２の位置が修正されて、図６に示すように取付ブラケット１１のスタッドボルト１２が底部１７の連結孔１７ｂに挿入され、図４，５，６に示すように取付ブラケット１１の支点部１３，１４が底部１７の開口部１７ａ，１７ｃに挿入される。
【００２４】
この後、図４及び図６に示すように、凹部８の裏側からナット２０を取付ブラケット１１のスタッドボルト１２に取り付けて締め付ける。図５に示すように、フロントグリル１の裏側において、棒状の工具１９を周壁部１８の開口部１８ｄに挿入し、工具１９の先端で調節ボルト１５のノブ１５ａを回転操作することにより、取付ブラケット１１に対するランプ２の角度を変更する（光軸調節）。以上のようにして、ランプ２の凹部８への取り付けを終了する。
【００２５】
［発明の実施の別形態］
図１及び図２に示す構造では、取付ブラケット１１に２個の位置決め部１１ａを備えているが、取付ブラケット１１に１個の位置決め部１１ａを、凹部１１ｂとは１８０°位相の異なる位置に備えてもよい。図１及び図２に示す構造において、位置決め部１１ａ及び開口部１８ａを取付ブラケット１１及び周壁部１８の下部に備え、凹部１１ｂ及び案内部１８ｂを取付ブラケット１１及び周壁部１８の上部に備えるように構成してもよい。
図１及び図２に示す取付ブラケット１１の凹部１１ｂ及び周壁部１８の案内部１８ｂにおいて、凹部１１ｂを周壁部１８に備え、案内部１８ｂを取付ブラケット１１に備えるように構成してもよい。
【００２６】
以上の構造において取付ブラケット１１を廃止し、取付ブラケット１１の位置決め部１１ａ、凹部１１ｂ及びスタッドボルト１２を、ランプハウジング３に備えるように構成してもよい。
スタッドボルト１２を廃止して、ランプハウジング２（又は取付ブラケット１１）に係合ピン（又はグロメット）を備え、底部１７にグロメット（又は係合ピン）を備えて、ランプ２を凹部８に挿入する際に、係合ピンをグロメットに挿入することによって、ランプ２を凹部８に取り付けるように構成してもよい。レンズ４は無色透明のものばかりではなく、オレンジ色等に着色されたレンズ４を使用してもよい。
本発明はフロントグリル１の凹部８に取り付られるランプ２ばかりではなく、フロントバンパーやリヤバンパーの凹部８、ボディの凹部８に取り付けられるランプ２にも適用できる。
【００２７】
【発明の効果】
請求項１の特徴によると、固定部に形成された円筒状の凹部に丸型のランプが挿入されて、ランプの取付部が凹部の内部の取付部に連結されたランプの取付構造において、ランプ（取付ブラケット）の位置決め部及び凹部の内部の係止部によって、凹部の円周方向でのランプの位相が決められた状態で、案内部及び被案内部によりランプの位置決めが行われながら、ランプ（取付ブラケット）の取付部が凹部の内部の取付部に確実に案内されるように構成することができて、ランプの取り付けの作業性及び取付精度を向上させることができた。
【００２８】
請求項１の特徴によると、案内部及び被案内部のみでランプ（取付ブラケット）の取付部を凹部の内部の取付部に案内するような構成に比べて、案内部及び被案内部を大掛かりなものに構成する必要がないので、構造の簡素化と言う面で有利なものとなった。
【００２９】
請求項１の特徴によると、ランプを凹部に挿入する際に、作業者がランプ（取付ブラケット）の位置決め部を容易に目視し、ランプの位相を容易に認識することができるので、ランプを凹部に対して適切な位相に設定しながら凹部に挿入し、ランプ（取付ブラケット）の位置決め部を凹部の内部の係止部に容易に接当させることができるようになって、ランプの取り付けの作業性を向上させることができた。
【００３０】
請求項１の特徴によると、ランプの背面部に取付ブラケットを備えて、取付ブラケットに対しランプの角度を変更できるようにした場合、取付ブラケットの支点部及び角度設定部の間隔を広いものに設定して、ランプが取付ブラケットに安定して支持されるように構成することによって、振動等によるランプへの影響を抑えて、振動等により取付ブラケットに対するランプの角度が変わると言う状態を抑えることができた。
【図面の簡単な説明】
【図１】ランプ及び取付ブラケットの側面及び凹部の縦断側面を示す図
【図２】ランプ及び取付ブラケットの背面図
【図３】凹部を表側から見た斜視図
【図４】ランプを凹部に取り付けた状態での縦断側面図
【図５】図４におけるＡ−Ａ方向で見た断面図
【図６】図４及び図５におけるランプハウジングの支持脚部の付近の縦断側面図
【図７】ランプを凹部に取り付けた状態での横断平面図
【符号の説明】
１      固定部
２      ランプ
８      凹部
１１    取付ブラケット
１１ａ  位置決め部
１１ｂ  被案内部
１２    ランプ（取付ブラケット）の取付部
１３    支点部
１５    角度設定部
１７ｂ  凹部の内部の取付部
１８ａ  凹部の内部の係止部
１８ｂ  案内部
【図１】
0003594532.tif 000002
【図２】
0003594532.tif 000003
【図３】
0003594532.tif 000004
【図４】
0003594532.tif 000005
【図５】
0003594532.tif 000006
【図６】
0003594532.tif 000007
【図７】
0003594532.tif 000008